(57)【要約】      （修正有）【課題】必要とするページをより探し易くすることができるバインダを提供する。【解決手段】規格用紙１００を着脱自在に綴じるバインダ１であって、規格用紙の一辺には、複数の取付穴１０１が設けられており、バインダは、複数の開閉リング２２１を有する綴じ具２２０と、規格用紙が綴じ具に綴じられたときに当該規格用紙の全体を覆う表装部２１０とを備え、複数の開閉リングの個数は、複数の取付穴の個数よりも多く、綴じ具の一端側の開閉リングを余すことなく複数の取付穴に複数の開閉リングの一部を挿通させた場合には、綴じ具の他端側の開閉リングには複数の取付穴が挿入されることはなく、綴じ具の他端側の開閉リングを余すことなく複数の取付穴に複数の開閉リングの一部を挿通させた場合には、綴じ具の一端側の開閉リングには複数の取付穴が挿入されることはない。【選択図】図１
2013146883.tif 000002
【特許請求の範囲】
【請求項１】
規格用紙を着脱自在に綴じるバインダであって、
前記規格用紙の一辺には、複数の取付穴が設けられており、
前記バインダは、
複数の開閉リングを有する綴じ具と、
前記規格用紙が前記綴じ具に綴じられたときに当該規格用紙の全体を覆う表装部と
を備え、
前記複数の開閉リングの個数は、前記複数の取付穴の個数よりも多く、
前記綴じ具の一端側の開閉リングを余すことなく前記複数の取付穴に前記複数の開閉リングの一部を挿通させた場合には、前記綴じ具の他端側の開閉リングには前記複数の取付穴が挿入されることはなく、
前記綴じ具の前記他端側の開閉リングを余すことなく前記複数の取付穴に前記複数の開閉リングの一部を挿通させた場合には、前記綴じ具の前記一端側の開閉リングには前記複数の取付穴が挿入されることはない、バインダ。
【請求項２】
前記表装部の横寸法が、標準バインダの横寸法と等しく、
前記表装部の縦寸法が、前記標準バインダの縦寸法よりも長く、
前記標準バインダは、前記複数の開閉リングの個数が前記規格用紙の前記複数の取付穴の個数と同数であり、前記規格用紙を綴じるために用意されている標準サイズのバインダである、請求項１に記載のバインダ。
【請求項３】
所定のサイズの用紙と当該用紙を着脱自在に綴じるバインダとを含むバインダセットであって、
前記用紙の一辺には、ｍ個の取付穴が設けられており、
前記バインダは、
（ｍ＋ｎ）個の開閉リングを有する綴じ具と、
前記用紙が前記綴じ具に綴じられたときに前記用紙の全体を覆う表装部と
を備え、
前記綴じ具の一端側の開閉リングを余すことなく前記ｍ個の取付穴に前記開閉リングを挿通させた場合には、前記綴じ具の他端側のｎ個の開閉リングには前記取付穴が挿入されることはなく、
前記綴じ具の前記他端側の開閉リングを余すことなく前記ｍ個の取付穴に前記開閉リングを挿通させた場合には、前記綴じ具の前記一端側のｎ個の開閉リングには前記取付穴が挿入されることはない、バインダセット。
【請求項４】
所定のサイズの用紙を着脱自在に綴じるバインダであって、
前記用紙の一辺には、複数の取付穴が所定の間隔で設けられており、
前記バインダは、
複数の開閉リングを有する綴じ具と、
前記用紙が前記綴じ具に綴じられたときに前記用紙の全体を覆う表装部と
を備え、
前記綴じ具の一端側の開閉リングの間隔と前記綴じ具の他端側の開閉リングの間隔とは、前記所定の間隔の複数倍の間隔である、バインダ。
【請求項５】
前記綴じ具の前記一端側の開閉リングを余すことなく前記複数の取付穴に前記複数の開閉リングの一部を挿通させた場合には、前記綴じ具の前記他端側の開閉リングには前記複数の取付穴が挿入されることはなく、
前記綴じ具の前記他端側の開閉リングを余すことなく前記複数の取付穴に前記複数の開閉リングの一部を挿通させた場合には、前記綴じ具の前記一端側の開閉リングには前記複数の取付穴が挿入されることはない、請求項４に記載のバインダ。
【請求項６】
所定のサイズの用紙と当該用紙を着脱自在に綴じるバインダとを含むバインダセットであって、
前記用紙の一辺には複数の取付穴が所定の間隔で設けられており、
前記バインダは、
複数の開閉リングを有する綴じ具と、
前記用紙が前記綴じ具に綴じられたときに前記用紙の全体を覆う表装部と
を備え、
前記綴じ具の一端側の開閉リングの間隔と前記綴じ具の他端側の開閉リングの間隔とは、前記所定の間隔の複数倍の間隔である、バインダセット。
【発明の詳細な説明】
【技術分野】
【０００１】
本発明は、バインダ及びバインダセットに関し、特に、必要とするページをより探し易くするための技術に関する。
【背景技術】
【０００２】
日本では一般に「ルーズリーフ」と呼ばれている文房具が普及している。「ルーズリーフ」は、一辺に穴が連なって開けられているルーズリーフ用紙を、専用のルーズリーフバインダの金具に綴じて使用される。アメリカ、カナダなどにおいては、「ルーズリーフ (loose leaf)」 といえば、螺旋綴じにされていないノート用紙のことを意味し、またイギリスなどの一部の地域では、上記のような穴が連なって開けられている用紙を用いて行う製本システムのことを意味するようである。
【０００３】
日本における「ルーズリーフ」には、一般にＢ５、Ａ５、及びＡ４サイズのものがあり、通常Ａ５サイズの用紙には２０個、Ｂ５サイズの用紙には２６個、Ａ４サイズの用紙には３０個の取付用の穴（以下「取付穴」という）が設けられている。「ルーズリーフ」は、任意のページの入れ替えや任意の位置への用紙の追加等が容易にできるので大変使い勝手がよい。
【０００４】
しかしながら、ページの順序を自在に変えられる弊害として、使用者が必要とするページがどこにあるのか判らなくなり易いという問題がある。そこで、小口側へはみ出すように用紙に見出しラベルを貼り付けたり、見出しラベルが用紙と一体化した大きさの見出しシートを用いたりするなどして用紙を項目別に仕切ることにより、必要とするページを探し易くしている。また、バインダの金具に取り付けて用紙を項目別に仕切ることができる見出しシートが特許文献１に開示されている。
【先行技術文献】
【特許文献】
【０００５】
【特許文献１】実用新案登録第３０７７５９４号公報
【発明の概要】
【発明が解決しようとする課題】
【０００６】
見出しラベルを付けたり、見出しシートを挿入したりすることは、必要とするページを探し易くするための有効な方法の１つである。しかしながら、これら見出しラベルや見出しシートは見出し専用の部材なので、本来使用する用紙とは別途に購入しなければならず、使用者に経済的な負担をかけてしまう。
【０００７】
また、見出しラベルを必要なページに張り付ける作業や、見出しシートを必要な位置に挿入する作業は手間がかかる。さらに、見出しの付いているページを開かずにそのページの表題が分かるようにするためには、見出しラベルや見出しシートに表題をわざわざ書き込まなければならないので、手間がかかる。
【０００８】
そこで、本発明は、見出しラベルや見出しシートのような見出しを付けるための専用の部材を用いることなく、また見出しラベルの張り付け作業、見出しシートの挿入作業、及び表題を書き写込む作業等を必要とせず、ページをより探し易くすることができるバインダ、バインダに綴じられる追加用紙、及びバインダセットを提供することを目的とする。
【課題を解決するための手段】
【０００９】
上記目的を達成するために、本発明に係るバインダは、規格用紙を着脱自在に綴じるバインダであって、前記規格用紙の一辺には、複数の取付穴が設けられており、前記バインダは、複数の開閉リングを有する綴じ具と、前記規格用紙が前記綴じ具に綴じられたときに当該規格用紙の全体を覆う表装部とを備え、前記複数の開閉リングの個数は、前記複数の取付穴の個数よりも多く、前記綴じ具の一端側の開閉リングを余すことなく前記複数の取付穴に前記複数の開閉リングの一部を挿通させた場合には、前記綴じ具の他端側の開閉リングには前記複数の取付穴が挿入されることはなく、前記綴じ具の前記他端側の開閉リングを余すことなく前記複数の取付穴に前記複数の開閉リングの一部を挿通させた場合には、前記綴じ具の前記一端側の開閉リングには前記複数の取付穴が挿入されることはない。
【００１０】
ここでバインダにおいて、前記表装部の横寸法が、標準バインダの横寸法と等しく、前記表装部の縦寸法が、前記標準バインダの縦寸法よりも長く、前記標準バインダは、前記複数の開閉リングの個数が前記規格用紙の前記複数の取付穴の個数と同数であり、前記規格用紙を綴じるために用意されている標準サイズのバインダであるとよい。
【００１１】
上記目的を達成するために、本発明に係るバインダセットは、所定のサイズの用紙と当該用紙を着脱自在に綴じるバインダとを含むバインダセットであって、前記用紙の一辺には、ｍ個の取付穴が設けられており、前記バインダは、（ｍ＋ｎ）個の開閉リングを有する綴じ具と、前記用紙が前記綴じ具に綴じられたときに前記用紙の全体を覆う表装部とを備え、前記綴じ具の一端側の開閉リングを余すことなく前記ｍ個の取付穴に前記開閉リングを挿通させた場合には、前記綴じ具の他端側のｎ個の開閉リングには前記取付穴が挿入されることはなく、前記綴じ具の前記他端側の開閉リングを余すことなく前記ｍ個の取付穴に前記開閉リングを挿通させた場合には、前記綴じ具の前記一端側のｎ個の開閉リングには前記取付穴が挿入されることはない。
【００１２】
上記目的を達成するために、本発明に係るバインダは、所定のサイズの用紙を着脱自在に綴じるバインダであって、前記用紙の一辺には、複数の取付穴が所定の間隔で設けられており、前記バインダは、複数の開閉リングを有する綴じ具と、前記用紙が前記綴じ具に綴じられたときに前記用紙の全体を覆う表装部とを備え、前記綴じ具の一端側の開閉リングの間隔と前記綴じ具の他端側の開閉リングの間隔とは、前記所定の間隔の複数倍の間隔である。
【００１３】
ここで前記バインダにおいて、前記綴じ具の前記一端側の開閉リングを余すことなく前記複数の取付穴に前記複数の開閉リングの一部を挿通させた場合には、前記綴じ具の前記他端側の開閉リングには前記複数の取付穴が挿入されることはなく、前記綴じ具の前記他端側の開閉リングを余すことなく前記複数の取付穴に前記複数の開閉リングの一部を挿通させた場合には、前記綴じ具の前記一端側の開閉リングには前記複数の取付穴が挿入されることはない。
【００１４】
上記目的を達成するために、本発明に係るバインダセットは、所定のサイズの用紙と当該用紙を着脱自在に綴じるバインダとを含むバインダセットであって、前記用紙の一辺には複数の取付穴が所定の間隔で設けられており、前記バインダは、複数の開閉リングを有する綴じ具と、前記用紙が前記綴じ具に綴じられたときに前記用紙の全体を覆う表装部とを備え、前記綴じ具の一端側の開閉リングの間隔と前記綴じ具の他端側の開閉リングの間隔とは、前記所定の間隔の複数倍の間隔である。
【００１５】
上記目的を達成するために、本発明に係るバインダに綴じられる追加用紙は、複数の開閉リングを設けたバインダに着脱自在に綴じる追加用紙であって、当該追加用紙の一辺に複数の取付穴が設けられており、前記複数の取付穴の個数は前記複数の開閉リングの個数よりも少なく、前記追加用紙の横寸法が、標準用紙の横寸法と等しく、前記追加用紙の縦寸法が、前記標準用紙の縦寸法よりも短く、前記標準用紙は、前記複数の取付穴の個数が前記複数の開閉リングの個数と同数であり、前記バインダに綴じられるために用意されている標準サイズの用紙である。
【発明の効果】
【００１６】
課題を解決するための手段に記載した構成を備えることにより、用紙をバインダの複数の異なる位置に綴じることができるので、用紙と用紙とを互いに縦方向にずらすことができる。例えば、前半の１〜１０枚目の用紙を揃えてバインダの地側に近い位置に綴じ、後半の１１〜２０枚目の用紙を揃えてバインダの天側に近い位置に綴じれば、１１枚目の用紙を開いていないときであっても、１１枚目の用紙の上部が見える状態になる。また逆に前半の１〜１０枚目の用紙を揃えてバインダの天側に近い位置に綴じ、後半の１１〜２０枚目の用紙を揃えてバインダの地側に近い位置に綴じれば、１１枚目の用紙を開いていないときであっても、１１枚目の用紙の下部が見える状態になる。よって、用紙の上部、又は下部に記載した表題等を見出しとして利用することができる。
【００１７】
また、バインダの開閉リングの個数を規格用紙に設けられた取付穴の個数よりも多くし、表装部の大きさを用紙が綴じ具に綴じられたときに用紙の全体を覆う大きさにする。このようにすることにより、規格用紙をバインダの天側から地側までの間の如何なる位置に綴じたとしても、規格用紙が表装部からはみ出さず、かつ表装部の外形を必要最小限の大きさにすることができる。
【００１８】
また、取付穴をｍ個設けた用紙を、開閉リングを（ｍ＋ｎ）個設けたバインダに綴じると、用紙をｎか所の異なる位置に綴じることができるので、複数の用紙を互いに縦方向に１段ずつにずらしてｎ段にすることができる。あるいは、バインダの開閉リングを、バインダの天側（一端側）、及びバインダの地側（他端側）においては、隣り合う取付穴間の間隔の複数倍の間隔で設ける。これにより、用紙の天側及び用紙の地側の両方に１個分ずつ取付穴が設けられていない領域が存在する用紙を、複数の異なる位置に綴じることができるので、用紙と用紙とを互いに縦方向にずらすことができる。
【００１９】
例えば、用紙の天側及び用紙の地側の両方に、１個分ずつ取付穴が設けられていない領域が存在する用紙（取付穴は２０個）を、バインダの天側及びバインダの地側にそれぞれ２個、中央部分に１６個開閉リングを設けたバインダに綴じると、用紙を３か所の異なる位置に綴じることができるので、複数の用紙を互いに縦方向に１段ずつにずらして３段にすることができる。
【００２０】
また、追加用紙の縦寸法を標準用紙の縦寸法よりも、隣り合う取付穴間の間隔以上短くすることにより、追加用紙を複数の異なる位置に綴じることができるので、用紙と用紙とを互いに縦方向にずらすことができる。さらに、追加用紙の縦寸法を、標準用紙の縦寸法よりも隣り合う取付穴間の間隔の４倍の寸法分だけ短くすることにより、用紙を５か所の異なる位置に綴じることができるので、複数の用紙を互いに縦方向に１段ずつにずらして５段にすることができる。
【図面の簡単な説明】
【００２１】
【図１】実施の形態１に係るバインダの概略を示す図である。
【図２】実施の形態２に係るバインダの概略を示す図である。
【図３】実施の形態３に係るバインダの概略を示す図である。
【発明を実施するための形態】
【００２２】
（実施の形態１）
＜概要＞
実施の形態１では、従来からある所定の用紙を着脱自在に綴じるバインダに比べて、横寸法はそのままで変更せず、縦寸法を長くしたバインダについて説明する。実施の形態１に係るバインダでは、用紙を複数の異なる位置に綴じることができるので、用紙と用紙とを互いに縦方向にずらすことができる。
【００２３】
＜構成＞
図１は、実施の形態１に係るバインダ１の概略を示す図である。バインダ１は、例えば日本で一般に「ルーズリーフ」と呼ばれている文房具であり、図１に示すように、用紙１００、及びバインダ本体２００とからなる。用紙１００は、サイズが所定の規格により定められている規格用紙である。用紙１００の一辺には、複数の取付穴１０１が所定の間隔で連続的に設けられている。バインダ本体２００は、表装部２１０及び綴じ具２２０を備える。
【００２４】
表装部２１０は、バインダ本体２００に用紙１００を綴じて本の形にした場合に、その本の表装となる部分であり、用紙１００が綴じ具２２０に綴じられたときに用紙１００の全体を覆う。表装部２１０は、プラスチックや厚紙などで成型され、おもて表紙部分２１１、うら表紙部分２１２、及び背表紙部分２１３からなる。なお、表装部２１０には背表紙部分２１３が無くてもよい。また、おもて表紙部分２１１とうら表紙部分２１２とが個々に独立した別部材となっていてもよい。
【００２５】
綴じ具２２０は、例えばプラスチック、アルミ、又は塗装やメッキを施したスチールなどで成型され、背表紙部分２１３に設けられている。また綴じ具２２０は、用紙１００を着脱自在に綴じるための機構を備えている。詳細には綴じ具２２０は、使用者の操作により開閉が可能な複数の開閉リング２２１を、用紙１００における隣り合う取付穴１０１間の間隔と同様の間隔で、天側（図１中矢印Ｇ側）から地側（図１中矢印Ｈ側）まで設けている。ここで複数の開閉リング２２１の個数は、複数の取付穴１０１の個数よりも多い。
【００２６】
本実施の形態では、用紙１００のサイズはＡ５サイズである。用紙１００の長辺の少なくとも一辺に取付穴１０１を２２個設けている。また、綴じ具２２０に開閉リング２２１を２６個設ける。用紙１００をバインダ本体２００に綴じると、用紙１００を５か所の異なる位置に綴じることができるので、複数の用紙１００を互いに縦方向に１段ずつにずらして５段にすることができる。なお図１では複数の用紙１００を縦方向に１段ずつにずらして３段にして綴じている状態を示している。
【００２７】
一般に普及しているＡ５サイズのルーズリーフ用紙は、取付穴１０１が設けられた一辺の天側と地側の両方に、１個分ずつ取付穴が設けられていない領域が存在し、取付穴１０１を２０個有する。しかしながら、このようなルーズリーフ用紙をバインダ本体２００に綴じようとすると、ルーズリーフ用紙の取付穴が設けられていない領域が開閉リング２２１と干渉するのでうまく綴じることができない。そこで本実施の形態では、一般に普及しているＡ５サイズのルーズリーフ用紙の取付穴が設けられていない天側と地側の領域に、１個ずつ取付穴１０１を増設して取付穴１０１の数を２２個とすることにより、用紙１００をバインダ本体２００に綴じても用紙１００が開閉リング２２１と干渉しないようにしている。
【００２８】
ここで表装部２１０は、用紙１００の天側（図１中矢印Ｇ側）の開閉リングを余すことなく、複数の取付穴１０１に複数の開閉リング２２１の一部を挿通させた場合（図１中のＬ）には、用紙１００の天側（図１中矢印Ｇ側）と小口側（図１中矢印Ｍ側）とを覆う大きさである。また表装部２１０は、用紙１００の地側（図１中矢印Ｈ側）の開閉リング２２１を余すことなく、複数の取付穴１０１に複数の開閉リング２２１の一部を挿通させた場合（図１中のＭ）には、当該規格用紙の地側（図１中矢印Ｈ側）と小口側（図１中矢印Ｎ側）とを覆う大きさである。即ち、綴じ具２２０の一端側（図１中矢印Ｇ側）の開閉リングを余すことなく複数の取付穴１０１に複数の開閉リング２２１の一部を挿通させた場合には、綴じ具２２０の他端側（図１中矢印Ｈ側）の開閉リングには複数の取付穴１０１が挿入されることはない。さらに、綴じ具２２０の他端側の開閉リングを余すことなく複数の取付穴１０１に複数の開閉リング２２１の一部を挿通させた場合には、綴じ具２２０の一端側の開閉リングには複数の取付穴１０１が挿入されることはない。
【００２９】
ここで取付穴１０１をｍ個、開閉リングを（ｍ＋ｎ）個とする。表装部２１０は、用紙１００の天側の開閉リング２２１を余すことなく、かつ用紙１００の地側の開閉リング２２１をｎ個余らせて、ｍ個の取付穴１０１に（ｍ＋ｎ）個の開閉リング２２１のうちのｍ個に挿通させた場合には、用紙１００の天側と小口側とを覆う。また表装部２１０は、用紙１００の地側の開閉リング２２１を余すことなく、かつ用紙１００の天側の開閉リング２２１をｎ個余らせて、ｍ個の取付穴１０１を（ｍ＋ｎ）個の開閉リング２２１のうちのｍ個に挿通させた場合には、用紙１００の地側と小口側とを覆う。即ち、綴じ具２２０の一端側の開閉リングを余すことなくｍ個の取付穴１０１に開閉リングを挿通させた場合には、綴じ具２２０の他端側のｎ個の開閉リングには取付穴１０１が挿入されることはない。さらに、綴じ具２２０の他端側の開閉リングを余すことなくｍ個の取付穴１０１に開閉リングを挿通させた場合には、綴じ具２２０の一端側のｎ個の開閉リングには取付穴１０１が挿入されることはない
本実施の形態では、表装部２１０は、用紙１００の天側の開閉リング２２１を余すことなく、かつ用紙１００の地側の開閉リング２２１を４個余らせて、２２個の取付穴１０１に２６個の開閉リング２２１のうちの２２個に挿通させた場合には、用紙１００の天側と小口側とを過不足なく、例えば用紙１００の天側は３〜１０ｍｍ程度、用紙１００の小口側は３〜３０ｍｍ程度大き目に覆う。また表装部２１０は、用紙１００の地側の開閉リング２２１を余すことなく、かつ用紙１００の天側の開閉リング２２１を４個余らせて、２２個の取付穴１０１を２６個の開閉リング２２１のうちの２２個に挿通させた場合には、用紙１００の地側と小口側とを過不足なく、例えば地側は３〜１０ｍｍ程度、小口側は３〜３０ｍｍ程度大き目に覆う。
【００３０】
ここで用紙１００を綴じるために市販されている標準サイズのバインダを標準バインダ（図示せず）と定義する。標準バインダは、複数の開閉リング２２１の個数が複数の取付穴１０１の個数と同数であり、バインダ本体２００のように用紙１００を複数の異なる位置に綴じることはできない。
【００３１】
以下に、表装部２１０のおもて表紙部分２１１、及びうら表紙部分２１２の横寸法（図１中のＡ）と縦寸法（図１中のＤ）とを、標準バインダとの比較により説明する。
【００３２】
表装部２１０の横寸法は、標準バインダの横寸法と同等である。表装部２１０の縦寸法は、標準バインダの縦寸法よりも、さらにバインダ本体２００が備える綴じ具２２０に設けられた開閉リング２２１の個数から、標準バインダに設けられた開閉リング２２１の個数を差し引いた数に、隣り合う取付穴１０１間の間隔を乗じた寸法分だけ長い。
【００３３】
また、表装部２１０のおもて表紙部分２１１、及びうら表紙部分２１２の横寸法（図１中のＡ）は、バインダ本体２００を閉じたときも開いたときも、用紙１００がバインダ本体２００から横方向にはみ出すことなく収まる好適な長さである。より詳細には、表装部２１０の横寸法は、用紙１００の横寸法（図１中のＢ）に、綴じ具２２０における開閉機構による増加分と、綴じられた用紙を守るために用紙より大きくなっている部分（以下、この様な部分を「チリ」と記す）（図１中のＣ）の寸法とを加算した寸法になる。
【００３４】
本実施の形態では、表装部２１０の横寸法は、Ａ５サイズの用紙１００の横の長さに、綴じ具２２０における開閉機構による増加分として５ｍｍ程度と、「チリ」の部分の寸法３〜１０ｍｍ程度とを加算した寸法である。
【００３５】
一方、表装部２１０のおもて表紙部分２１１、及びうら表紙部分２１２の縦寸法（図１中のＤ）は、用紙１００がバインダ本体２００から縦方向にはみ出すことなく収まる最短の長さよりも、さらに、開閉リング２１１の個数が取付穴１０１の個数よりも多い分だけ長い。より詳細には、表装部２１０の縦寸法は、用紙１００の縦の長さ（図１中のＥ）に、「チリ」の部分の寸法（図１中のＦの２倍）を加算した値よりも、さらに、開閉リング２１１の個数から取付穴１０１の個数を差し引いた数に、隣り合う取付穴１０１間の間隔を乗じた寸法分だけ長くなる。
【００３６】
本実施の形態では、表装部２１０の縦寸法は、Ａ５サイズの用紙１００の縦の長さに、「チリ」の部分の寸法を加算した値よりも、さらに、開閉リング２１１の個数（２６個）と取付穴１０１の個数（２２個）との差分（４個）に、隣り合う取付穴１０１間の間隔を乗じた分だけ長くなる。また本実施の形態の表装部２１０の縦寸法は、およそＢ５サイズの用紙が天側や地側にはみ出すことなく収まる長さになる。
【００３７】
ここで「チリ」の部分の寸法（図１中のＣ、Ｆ）は通常の本の場合には３ｍｍ程度が一般的であるが、本実施の形態の場合には、取付穴１０１と開閉リング２２１との間に多少の遊びがあるのを考慮して、少し大きめの３〜１０ｍｍ程度にしてもよい。
【００３８】
なお、特に横方向の「チリ」の部分の寸法（図１中のＣ）は、見出しラベルを併用して貼り付けた時に見出しラベルが小口側にはみ出ないようにするために、見出しラベルの横幅の分を考慮して、例えば１０〜３０ｍｍ程度に大きくしてもよい。
【００３９】
＜まとめ＞
実施の形態１に係るバインダ１は、図１に示す構成を備えることにより、バインダ本体２００の複数の異なる位置に用紙１００を綴じることができる。例えば前半の１〜１０枚目の用紙を揃えて地側（図１中矢印Ｈ側）に近い位置に綴じ、後半の１１〜２０枚目の用紙を揃えて天側（図１中矢印Ｇ側）に近い位置に綴じれば、１１枚目の用紙を開いていないときであっても、１１枚目の用紙の上部（図１中Ｉ、Ｊ）が見える状態になる。よって、後ろのページの上部に記載した表題等を見出しとして利用することができる。また、用紙１００を天側から地側までの間の如何なる位置に綴じたとしても、用紙１００が表装部２１０からはみ出すことがない。
【００４０】
取付穴が設けられた一辺の天側と地側の両方に、１個分ずつ取付穴が設けられていない領域が存在する用紙が普及している。このような用紙の代表的なものの１つに、取付穴が２０個設けられているＡ５サイズの用紙がある。
【００４１】
そこで、取付穴が設けられていない天側の領域と地側の領域の両方の領域に取付穴を１個ずつ増設して、取付穴を２２個設けた用紙を準備する。このような取付穴を２２個設けた用紙を、開閉リングを２６個設けたバインダに綴じると、用紙を５か所の異なる位置に綴じることができるので、複数の用紙を互いに縦方向に５段にずらすことができる。
【００４２】
なお、バインダ１は、用紙１００とバインダ本体２００とをセットにして販売してもよいし、用紙１００を追加用紙として別売にしてバインダ本体２００のみで販売してもよい。また、バインダ本体２００から表装部２１０を外して、綴じ具２２０だけで販売してもよい。
（実施の形態２）
＜概要＞
実施の形態２では、実施の形態１と同様に、従来からある所定の用紙を着脱自在に綴じるバインダに比べて、横寸法はそのままで変更せず、縦寸法を長くしたバインダについて説明する。
【００４３】
実施の形態２が実施の形態１と異なるのは、実施の形態２では、取付穴１０１が設けられた一辺の天側と地側の両方に１個分ずつ取付穴が設けられていない領域が存在するルーズリーフ用紙を綴じることができるように、バインダ本体２００の開閉リング２２１の両端部分の開閉リング２２１間の間隔を通常の間隔の２倍にしている点である。
【００４４】
＜構成＞
図２は、実施の形態２に係るバインダ２の概略を示す図である。なお、実施の形態１と同様の構成には同一番号を付し、その説明を省略する。バインダ２は、図２に示すように、用紙３００及びバインダ本体４００とからなる。用紙３００は、実施の形態１の用紙１００と同様に、サイズが所定の規格により定められている規格用紙である。用紙３００の一辺には、複数の取付穴１０１が所定の間隔で連続的に設けられている。ここで用紙３００と用紙１００との違いは、用紙３００では取付穴１０１が設けられている一辺の天側と地側の両方に１個分ずつ取付穴が設けられていない領域が存在する点である。
【００４５】
バインダ本体４００は、表装部２１０、及び綴じ具４２０を備える。綴じ具４２０は、実施の形態１の綴じ具２２０と同様に、例えばプラスチック、アルミ、又は塗装やメッキを施したスチールなどで成型される。綴じ具４２０は、背表紙部分２１３に設けられ、用紙３００を着脱自在に綴じるための機構を備えている。ここで綴じ具４２０と実施の形態１における綴じ具２２０との違いは、開閉リング２２１の個数と配置である。詳細には綴じ具４２０は、使用者の操作により開閉が可能な複数の開閉リングを天側から地側まで設けている。ここで開閉リング２２１の間隔は、天側、及び地側においては、隣り合う取付穴１０１間の間隔よりも広く、天側、及び地側以外の中央部分においては、隣り合う取付穴１０１間の間隔と同様の間隔である。即ち、綴じ具４２０の一端側（天側）の開閉リングの間隔と綴じ具４２０の他端側（地側）の開閉リングの間隔とは、所定の間隔（隣り合う取付穴１０１間の間隔）の複数倍の間隔である。また、中央部分の開閉リング２２１の個数は、取付穴１０１の個数よりも少ない。本実施の形態では、綴じ具４２０の一端側の開閉リングの間隔と綴じ具４２０の他端側の開閉リングの間隔とは、所定の間隔（隣り合う取付穴１０１間の間隔）の２倍の間隔であるが、複数倍の間隔である限りは、その間隔は任意である。
【００４６】
本実施の形態では、用紙３００はＡ５サイズである。用紙３００には取付穴１０１が２０個設けられ、取付穴１０１が設けられている一辺の天側と地側の両方に、１個分ずつ取付穴１０１が設けられていない領域が存在する。また、綴じ具４２０の中央部分に開閉リング２２１を１６個、綴じ具４２０の両端部分に開閉リング２２１をそれぞれ２個ずつ、合計で開閉リング２２１を２０個設ける。取付穴１０１が２０個設けられている用紙３００をバインダ本体４００に綴じると、用紙３００を３か所の異なる位置に綴じることができるので、複数の用紙３００を互いに縦方向に１段ずつにずらして３段にすることができる。なお図２では複数の用紙３００を縦方向に１段ずつにずらして３段にして綴じている状態を示している。
【００４７】
一般に普及しているＡ５サイズのルーズリーフ用紙は、用紙３００と同様に、取付穴１０１が設けられた一辺の天側と地側の両方に、１個分ずつ穴が設けられていない領域が存在し、取付穴１０１を２０個有する。しかしながら、このような取付穴が２０個のルーズリーフ用紙を、実施の形態１におけるバインダ本体２００に綴じようとすると、ルーズリーフ用紙の取付穴が設けられていない領域の辺りが開閉リング２２１と干渉するのでうまく綴じることができない。そこで本実施の形態では、ルーズリーフ用紙と干渉する位置にある開閉リング２２１を無くすことにより、用紙３００をバインダ本体４００に綴じても開閉リング２２１と干渉しないようにしている。
【００４８】
なお、実施の形態２では、天側、及び地側以外の中央部分においては、隣り合う取付穴１０１間の間隔と同様の間隔である例を説明したが、綴じ具４２０の一端側（天側）の開閉リングの間隔と綴じ具４２０の他端側（地側）の開閉リングの間隔とが、所定の間隔（隣り合う取付穴１０１間の間隔）の複数倍（例えば２倍）の間隔である限りは、中央部分において、隣り合う取付穴１０１間の間隔と同様の間隔であることに限定されない。綴じ具４２０の中央部分の開閉リングの間隔が、綴じ具４２０の両端側（天側と地側）の開閉リングの間隔と同様に、所定の間隔（隣り合う取付穴１０１間の間隔）の複数倍（例えば２倍）の間隔であり得る。
【００４９】
＜まとめ＞
実施の形態２に係るバインダ２は、図２に示す構成を備えることにより、バインダ本体４００に用紙３００を複数の異なる位置に綴じることができる。そこで、実施の形態１の場合と同様に、前半の１〜１０枚目の用紙を揃えて地側（図２中矢印Ｈ側）に近い位置に綴じ、後半の１１〜２０枚目の用紙を揃えて天側（図２中矢印Ｇ側）に近い位置に綴じれば、１１枚目の用紙を開いていないときであっても、１１枚目の用紙の上部（図２中Ｉ、Ｊ）が見える状態になる。よって、後ろのページの上部に記載した表題等を見出しとして利用することができる。また、用紙３００を天側から地側までの間の如何なる位置に綴じたとしても、用紙３００が表装部２１０からはみ出すことがない。
【００５０】
また、規格サイズの用紙である用紙３００を天側から地側までの間の如何なる位置に綴じたとしても、用紙３００が表装部２１０からからはみ出すことがない。
【００５１】
取付穴１０１が設けられた一辺の天側と地側の両方に、１個分ずつ穴が設けられていない領域が存在し、取付穴１０１が２０個設けられている用紙が普及しているが、このような用紙をバインダ本体４００に綴じると、用紙を３か所の異なる位置に綴じることができるので、複数の用紙を互いに縦方向に３段にずらすことができる。
【００５２】
なお、バインダ２は、用紙３００とバインダ本体４００とをセットにして販売してもよいし、用紙３００を追加用紙として別売にし、バインダ本体４００のみを販売してもよい。また、バインダ本体４００から表装部２１０を外して、綴じ具４２０だけで販売してもよい。
（実施の形態３）
＜概要＞
実施の形態３では、追加用紙を提供する。追加用紙の横寸法は、汎用されているルーズリーフ用紙の横寸法と同じで、追加用紙の縦寸法は、汎用されているルーズリーフ用紙の縦寸法縦より短い。実施の形態３に係る追加用紙を汎用サイズのルーズリーフバインダに綴じる際には、追加用紙をルーズリーフバインダの異なる位置に綴じることができるので、複数の追加用紙を互いに縦方向にずらすことができる。
【００５３】
実施の形態３と実施の形態１との違いは、実施の形態１ではサイズが所定の規格により定められている規格用紙を使うことができるようにバインダの形状を変更したのに対し、実施の形態３では既存のサイズのバインダを使うことができるように用紙の形状を変更した点である。
【００５４】
＜構成＞
図３は、実施の形態３に係るバインダ３の概略を示す図である。なお、実施の形態１と同様の構成には同一番号を付し、その説明を省略する。
【００５５】
バインダ３は、図３に示すように、用紙５００及びバインダ本体６００からなる。用紙５００は、バインダ本体６００に綴じられるために用意されている標準サイズの標準用紙と比較して、横寸法はそのままで、縦寸法を短くした用紙である。ここで標準用紙の取付穴１０１の個数は複数の開閉リングの個数と同数である。また用紙５００の一辺には、複数の取付穴１０１が所定の間隔で連続的に設けられている。
【００５６】
用紙５００の縦寸法は、標準用紙の長辺の寸法よりも、取付穴１０１の個数が開閉リング２２１の個数よりも少ない分だけ短い。なお、用紙５００の縦寸法は、標準用紙の長辺の寸法よりも隣り合う取付穴１０１間の間隔以上に短ければよく、標準用紙の長辺の寸法の２分の１よりも長い方が望ましい。ここで、縦寸法を標準用紙の長辺の寸法の２分の１よりも長くすることを推奨したのは、用紙５００の縦寸法を標準用紙の長辺の寸法の２分の１以下にすると、綴じ方次第では異なる位置に綴じた用紙５００同士が重なる部分がない状態となる。このような状態になると、単に用紙を分割したのと同じ状態になってしまうため、このような状態にならないように配慮したものである。
【００５７】
バインダ本体６００は、表装部６１０及び綴じ具６２０を備える。表装部６１０は、実施の形態１における表装部２１０と同様に、バインダ本体６００に用紙５００を綴じて本の形にした場合に、その本の表装となる部分である。表装部６１０は、用紙５００が綴じ具６２０に綴じられたときに用紙５００の全体を覆う。
【００５８】
表装部６１０は、プラスチックや厚紙などで成型され、おもて表紙部分６１１、うら表紙部分６１２、及び背表紙部分６１３からなる。なお、表装部６１０は背表紙部分６１３が無くてもよい。また、おもて表紙部分６１１とうら表紙部分６１２とが個々に独立した別部材となっていてもよい。
【００５９】
綴じ具６２０は、実施の形態１における綴じ具２２０と同様に、例えばプラスチック、アルミ、又は塗装やメッキを施したスチールなどで成型され、背表紙部分６１３に設けられている。また綴じ具６２０は、用紙５００を着脱自在に綴じるための機構を備えている。詳細には綴じ具６２０は、開閉リング２２１を、用紙５００における隣り合う取付穴１０１間の間隔と同様の間隔で、天側（図１中矢印Ｇ側）から地側（図１中矢印Ｈ側）まで設けている。ここで綴じ具６２０に設けられた複数の開閉リング２２１の個数は、用紙５００に設けられた複数の取付穴１０１の個数よりも多い。
【００６０】
本実施の形態では、標準用紙のサイズはＡ５サイズである。用紙５００の横寸法はＡ５サイズの用紙の短辺の寸法と同じである。用紙５００の縦寸法は、Ａ５サイズの用紙の長辺の寸法より隣り合う取付穴１０１間の間隔の４倍の寸法だけ短い。用紙５００の縦の少なくとも一辺に取付穴１０１が１８個開けられている。また、バインダ本体６００に開閉リング２２１を２２個設ける。用紙５００をバインダ本体６００に綴じると、用紙５００を５か所の異なる位置に綴じることができるので、複数の用紙５００を互いに縦方向に５段にずらすことができる。なお図３では用紙５００を縦方向に１段ずつにずらして３段にして綴じている状態を示している。
【００６１】
ここで、表装部６１０のおもて表紙部分６１１及びうら表紙部分６１２の横寸法（図３中のＡ）は、実施の形態１の表装部２１０の表紙部分２１１及びうら表紙部分２１２の横寸法（図１中のＡ）と同様である。
【００６２】
一方、表装部６１０のおもて表紙部分６１１及びうら表紙部分６１２の縦寸法（図３中のＫ）は、バインダ本体６００に実施の形態１における用紙１００を綴じたときに、用紙１００がバインダ本体６００から縦方向にはみ出すことなく収まる最短の長さに等しい。より詳細には、表装部６１０の縦寸法は、用紙１００の縦の長さ（図１中のＥ）に、「チリ」の部分の寸法（図１中のＦの２倍）を加算した値に等しい。
【００６３】
＜まとめ＞
実施の形態３に係るバインダ３は、図３に示す構成を備えることにより、バインダ本体６００に用紙５００を縦方向にずらして綴じることができる。そこで、実施の形態１の場合と同様に、前半の１〜１０枚目の用紙を揃えて地側（図３中矢印Ｈ側）に近い位置に綴じ、後半の１１〜２０枚目の用紙を揃えて天側（図３中矢印Ｇ側）に近い位置に綴じれば、１１枚目の用紙を開いていないときであっても、１１枚目の用紙の上部（図３中Ｉ、Ｊ）が見える状態になる。その結果、後ろのページの上部に記載した表題等を見出しとして利用することができる。
【００６４】
また、用紙５００を天側から地側までの間の如何なる位置に綴じたとしても、用紙５００が表装部６１０からはみ出すことがない。また、バインダ３は規格サイズの用紙を綴じることができる大きさである。従って、規格サイズの用紙に用いる既存のバインダに対して実施の形態３における用紙５００を追加用紙として使用するだけで、用紙５００を異なる位置に綴じることができる。その結果、複数の用紙５００を互いに縦方向にずらすことができる。
【００６５】
なお、実施の形態１及び実施の形態２では既存のサイズの用紙を使う実施例を説明し、実施の形態３では既存のサイズのバインダを使う実施例を説明した。実施の形態１〜３では、用紙かバインダのどちらか一方が既存のサイズである実施例であるが、用紙、及びバインダの両方を既存のサイズでないものとし、これらを組み合わせてバインダセットとして用いることができる。例えば実施の形態１におけるバインダ本体２００と、実施の形態３における用紙５００とを組み合わせれば、用紙５００を９か所の異なる位置に綴じることができるので、複数の用紙５００を互いに縦方向に１段ずつにずらして９段にすることができる。
【００６６】
また、実施の形態１〜３において、全体部分または表題等に対応する部分が透明または半透明である用紙カバーを備えてもよい。ここで、用紙カバーは、用紙が縦方向の如何なる位置に綴じられたときであっても用紙を保護できるように、各実施の形態における開閉リング２１１の全てに対応する取付穴が開けられていることが望ましい。このような用紙カバーを、バインダ本体に綴じた用紙の一番上に綴じることにより、表題等が見える状態のままで用紙を保護することができる。
【００６７】
また、実施の形態１〜３で記載のバインダ１、２、３に見出しラベルや見出しシートを併用して使用することもできる。各実施の形態のバインダにおける見出しは縦方向に並ぶのに対して、見出しラベルや見出しシートによる見出しは用紙の横方向並び小口側にはみ出すので、これらを併用することにより、２次元的に見出しを活用することができ、大変使い勝手がよい。
【産業上の利用可能性】
【００６８】
本発明は、任意のページの入れ替えや任意の位置への用紙の追加等を必要とするノートや著作物等に適用することができる。本発明によれば、後ろのページを開かずに後ろのページの上部または下部を見ることができるので、後ろのページに記載した表題等を見出しとして利用することができる。その結果、見出しラベルや見出しシートのような見出し専用の部材を用いることなく、必要とするページをより探し易くすることができ大変有用である。
【符号の説明】
【００６９】
１、２、３    バインダ
１００    用紙
１０１    取付穴
２００    バインダ本体
２１０    表装部
２１１    おもて表紙部分
２１２    うら表紙部分
２１３    背表紙部分
２２０    綴じ具
２２１    開閉リング
３００    用紙
４００    バインダ本体
４２０    綴じ具
５００    用紙
６００    バインダ本体
６１０    表装部
６１１    おもて表紙部分
６１２    うら表紙部分
６１３    背表紙部分
６２０    綴じ具
【図１】
2013146883.tif 000003
【図２】
2013146883.tif 000004
【図３】
2013146883.tif 000005